(57)【要約】【課題】ホッパ部内にＩＣカードがなくなったり、ＩＣカードの取出エラーが発生した場合には、オペレーターの手によることなく、ホッパ部、或いは装置本体の開閉扉の錠を自動的に開錠できるようにする。【解決手段】ＩＣカードを収納するホッパ部と、このホッパ部を開閉する開閉扉と、この開閉扉を施錠する電子錠３と、ホッパ部内からＩＣカードを取り出す繰出ローラと、この繰出ローラによって取り出されたＩＣカードＫに情報処理を施す情報処理部と、ホッパ部内のエラーを検出する第１及び第２の検出手段１２，１６と、この第１及び第２の検出手段１２，１６がエラーを検出するのに基づいて電子錠３を電気的に開錠するように制御する制御部２４とを具備する。【選択図】図３
2007065740.tif 000002
【特許請求の範囲】
【請求項１】
情報記憶媒体を収納するホッパ部と、
このホッパ部を開閉する開閉扉と、
この開閉扉を施錠する電子錠と、
前記ホッパ部内から前記情報記憶媒体を取り出す取出手段と、
この取出手段によって取り出された前記情報記憶媒体に情報処理を施す情報処理手段と、
前記ホッパ部内のエラーを検出するエラー検出手段と、
このエラー検出手段がエラーを検出するのに基づいて前記電子錠を電気的に開錠するように制御する制御手段と
を具備することを特徴とする情報記憶媒体発行装置。
【請求項２】
前記ホッパ部内のエラーは、前記ホッパ部内の情報記憶媒体が空になることであることを特徴とする請求項１記載の情報記憶媒体発行装置。
【請求項３】
前記ホッパ部内のエラーは、前記取出手段による情報記憶媒体の取出エラーであることを特徴とする請求項１記載の情報記憶媒体発行装置。
【請求項４】
開閉扉によって開閉される装置本体と、
前記開閉扉を施錠する電子錠と、
前記装置本体内に設けられ、情報記憶媒体を収納するホッパ部と、
前記ホッパ部内から前記情報記憶媒体を取り出す取出手段と、
この取出手段によって取り出された前記情報記憶媒体に情報処理を施す情報処理手段と、
前記ホッパ部内のエラーを検出するエラー検出手段と、
このエラー検出手段がエラーを検出するのに基づいて前記電子錠を電気的に開錠するように制御する制御手段と
を具備することを特徴とする情報記憶媒体発行装置。
【請求項５】
前記ホッパ部内のエラーは、前記ホッパ部内の情報記憶媒体が空になることあることを特徴とする請求項４記載の情報記憶媒体発行装置。
【請求項６】
前記ホッパ部内のエラーは、前記取出手段による情報記憶媒体の取出エラーであることを特徴とする請求項４記載の情報記憶媒体発行装置。
【発明の詳細な説明】
【技術分野】
【０００１】
本発明は、例えば、駅務機器における定期券発行機等として適用されるＩＣカード等の情報記憶媒体発行装置に関する。
【背景技術】
【０００２】
この種の情報記憶媒体発行装置は、新規の（情報が書き込まれていない）情報記憶媒体としてのＩＣカードを積層状態でセットするホッパ部を備えている。ホッパ部内にセットされたＩＣカードは、繰出ローラにより１枚ずつ繰り出される。このＩＣカードは、搬送ローラ対によって搬送され、処理部において書込等の処理が行なわれる。処理を終えたＩＣカードは、発行口から発行される。
【０００３】
ところで、ＩＣカード発行装置の場合、ホッパ部の扉、或いは、装置全体の扉等にはセキュリティ上、施錠が必要となっている。この扉の錠装置としては、電子錠が知られている（例えば、特許文献１参照。）。
【０００４】
１Ｃカードの発行によってホッパ部内に１Ｃカードがなくなった場合、或いは、ホッパ部内で取出エラーが発生した場合には、オペレーターが錠を開錠して１Ｃカードの補充作業、或いは、取出エラーの復旧作業を行っている。
【特許文献１】特開平７−２７９５０６号公報
【発明の開示】
【発明が解決しようとする課題】
【０００５】
しかしながら、従来において、電子錠を開錠する場合には、オペレーターがキーを用いたり、あるいは操作部を操作することにより電気的に開錠している。前者の場合には、オペレーターがその都度、キーを携行、携帯しなければならず、セキュリティ上の問題があり、後者の場合には、操作部を操作するため、手間取るという問題があった。
【０００６】
本発明は上記事情に着目してなされたもので、その目的とするところは、ホッパ部内に情報記憶媒体がなくなったり、情報記憶媒体の取出エラーが発生した場合には、オペレーターの手によることなく、ホッパ部の開閉扉、或いは装置本体の開閉扉の錠を自動的に開錠できるようにした情報記憶媒体発行装置を提供することを目的とする。
【課題を解決するための手段】
【０００７】
上記課題を解決するため、請求項１記載のものは、情報記憶媒体を収納するホッパ部と、このホッパ部を開閉する開閉扉と、この開閉扉を施錠する電子錠と、前記ホッパ部内から前記情報記憶媒体を取り出す取出手段と、この取出手段によって取り出された前記情報記憶媒体に情報処理を施す情報処理手段と、前記ホッパ部内のエラーを検出するエラー検出手段と、このエラー検出手段がエラーを検出するのに基づいて前記電子錠を電気的に開錠するように制御する制御手段とを具備することを特徴とする。
【０００８】
請求項４記載のものは、開閉扉によって開閉される装置本体と、前記開閉扉を施錠する電子錠と、前記装置本体内に設けられ、情報記憶媒体を収納するホッパ部と、前記ホッパ部内から前記情報記憶媒体を取り出す取出手段と、この取出手段によって取り出された前記情報記憶媒体に情報処理を施す情報処理手段と、前記ホッパ部内のエラーを検出するエラー検出手段と、このエラー検出手段がエラーを検出するのに基づいて前記電子錠を電気的に開錠するように制御する制御手段とを具備することを特徴とする。
【発明の効果】
【０００９】
本発明によれば、ホッパ部内に情報記憶媒体が無くなったり、或いは、ホッパ部内で情報記憶媒体の取出エラーが発生した場合には、ホッパ部の開閉扉、或いは装置本体の開閉扉の電子錠をオペレータの手によることなく、自動的に開錠でき、セキュリテー及び操作性を向上することがきる。
【発明を実施するための最良の形態】
【００１０】
以下、本発明の実施の形態を図面に基づいて詳細に説明する。  
図１は、本発明の一実施の形態である情報記憶媒体発行装置としての、例えば駅務機器における定期券発行機を示す斜視図である。
【００１１】
定期券発行機は装置本体１を有し、この装置本体１の前面部には後述するホッパ部を開閉する開閉扉２が設けられている。開閉扉２は、電子錠３によって施錠されている。装置本体１の一側面部には、ＩＣカードを発行する発行口５が設けられている。
【００１２】
図２は、装置本体１の内部を示す構成図である。
【００１３】
装置本体１内にはホッパ部７が設けられ、このホッパ部７内には新規の（情報が書き込まれていない）ＩＣカードＫが積層状態でセットされている。
【００１４】
ホッパ部７の底部には情報記憶媒体としてのＩＣカードＫを１枚ずつ繰り出す繰出ローラ８が設けられている。繰出ローラ８の繰出方向には、ＩＣカードＫを搬送路９に沿って搬送する搬送ローラ対１０が複数配設されている。また、搬送路９中には、搬送されるＩＣカードＫに対して書き込み等の処理を行なう情報処理部１２が設けられている。
【００１５】
ホッパ部７内には、ＩＣカードＫの有無を検出する第１の検出手段（エラー検出手段）１２が設けられている。この第１の検出手段１１は発光素子１３と受光素子１４とによって構成されている。
【００１６】
また、搬送路９中には、ＩＣカードＫの取出エラーを検出する第２の検出手段（エラー検出手段）１６が設けられている。この第２の検出手段１６は発光素子１７と受光素子１８とによって構成されている。
【００１７】
さらに、搬送路９中には、ＩＣカードＫの搬送ジャムを検出する第３の検出手段２０が設けられている。この第３の検出手段２０は発光素子２１と受光素子２２とによって構成されている。
【００１８】
図３は、上記した電子錠の開錠を制御する制御系を示すブロック図である。
【００１９】
第１乃至第３の検出手段１２，１６，２０は、送信回路を介して制御手段としての制御部２４に接続され、この制御部２４には制御回路を介して電子錠３が接続されている。
【００２０】
制御部２４は、第１の検出手段１１の検出情報に基づいてＩＣカードＫの有無を判別し、ＩＣカードＫが無いと判別するのに基づいて電子錠３を電気的に開錠させて開閉扉２の開放を可能にするようになっている。
【００２１】
また、制御部２４は、第２の検出手段１６の検出情報に基づいてＩＣカードＫの取出しエラーの有無を判別し、取り出しエラーが発生したと判別するのに基づいて電子錠３を開錠させて開閉扉２の開放を可能にするようになっている。
【００２２】
さらに、制御部２４は、第２の検出手段１６の検出情報に基づいてＩＣカードＫの搬送ジャムの有無を判別するようになっている。
【００２３】
次に、ＩＣカードの発行時にエラーが発生した場合の処理動作を図４の処理フローに基づいて説明する。
【００２４】
エラーが発生すると（ステップＳＴ１）、制御部２４でホッパ部７でのエラーの有無、例えばＩＣカードの取出エラー、或いは、ホッパ部７内のＩＣカードが空状態であるか否かが判別される（ステップＳＴ２）。ホッパ部７内でエラーがあったと判別されると、ホッパ部７の開閉扉２の電子錠３が電気的に開錠される（ステップＳＴ３）。この開錠後、ホッパ部７の開閉扉２を開放させてホッパ部７内のエラー復旧処理を行ない（ステップＳＴ４）、初期状態に復帰する（ステップＳＴ５）。
【００２５】
なお、ステップＳＴ２において、ホッパ部７のエラーが無いと判別された場合には、別処理、例えば、ＩＣカードの搬送ジャム処理が行なわれて（ステップＳＴ６）、初期状態に復帰する（ステップＳＴ５）。
【００２６】
上記したように、この実施の形態によれば、ホッパ部７内にＩＣカードＫが無くなった場合、或いは、ホッパ部７でＩＣカードＫの取り出しエラーが発生した場合などには、ホッパ部７の開閉扉２の電子錠３を自動的に開錠させるため、オペレーターは鍵を携行、携帯することなく、また、特別な操作を必要とすることなく、開閉扉２の電子錠３を開錠できる。
【００２７】
従って、従来のようにキーを紛失するといった恐れがなく、セキュリテーを向上できるとともに、操作性も向上することがきる。
【００２８】
図５は本発明の他の実施の形態である定期券発行機を示す斜視図である。
【００２９】
この実施の形態では、装置本体１の前面部に開閉扉としてのフロント扉３１が開閉自在に設けられ、この開閉扉としてのフロント扉３１に電子錠３２が取り付けられている。この電子錠３２は上記したと同様にその開錠が自動的に制御され、上記した実施の形態と同様の作用効果を奏する。
【００３０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３１】
【図１】本発明の一実施の形態である定期券発行機を示す外観斜視図。
【図２】同定期券発行機の内部構成を示す図。
【図３】同電子錠の開錠を制御する制御系を示すブロック図。
【図４】同ホッパ部でのエラー発生時における処理動作を示すフローチャート図。
【図５】本発明の他の実施の形態である定期券発行機を示す外観斜視図。
【符号の説明】
【００３２】
１…装置本体、２…開閉扉、３，３２…電子錠、Ｋ…ＩＣカード（情報記憶媒体）、７…ホッパ部、８…繰出ローラ（取出手段）、１１…情報処理部（情報処理手段）、１２，１６…第１及び第２の検出手段（エラー検出手段）、２４…制御部（制御手段）、３１…フロント扉（開閉扉）。
【図１】
2007065740.tif 000003
【図２】
2007065740.tif 000004
【図３】
2007065740.tif 000005
【図４】
2007065740.tif 000006
【図５】
2007065740.tif 000007